(57)【要約】      （修正有）【課題】光触媒を利用した装飾品であって、使用しないときはコンパクトにまとまり、かつ立体的に形状を変化させることができ、飾りとしての面白みがある、新規な装飾品を提供する。また、光の照射される面積が大きく、そのため高い脱臭・抗菌効果を得ることができる装飾品を提供する。【解決手段】クリスマスカード、誕生日カード等のグリーティングカード３０の見開き部３０１に、光触媒を設けた紙１０Ａ〜１０Ｄが複数枚積層された状態で畳まれ、前記グリーティングカード３０を開いて前記畳まれた紙１０Ａ〜１０Ｄを展開したときにそれぞれの紙１０Ａ〜１０Ｄの表面が露出するように外形状が立体的に変化する装飾品１Ｂである。【選択図】図４
2005204812.tif 000002
【特許請求の範囲】
【請求項１】
光触媒を設けた紙が複数枚積層され、前記積層された紙を展開したときにそれぞれの紙の表面が露出するように外形状が立体的に変化する装飾品。
【請求項２】
請求項１記載の装飾品において、積層された紙の一辺を軸とし、前記軸の周りに紙を展開することで外形状が回転対称の立体へ変化することを特徴とする装飾品。
【請求項３】
クリスマスカード、誕生日カード等のグリーティングカードの見開き部に、光触媒を設けた紙が複数枚積層され、前記グリーティングカードを開いて前記積層された紙を展開したときにそれぞれの紙の表面が露出するように外形状が立体的に変化する装飾品。
【請求項４】
請求項１〜３のいずれか記載の装飾品において、光触媒を設ける紙が、斤量２０〜３０ｇ／ｍ２の薄葉紙であることを特徴とする装飾品。
【請求項５】
請求項１〜４のいずれか記載の装飾品において、光触媒が、粉末状の酸化チタンであることを特徴とする装飾品。
【請求項６】
請求項１〜５のいずれか記載の装飾品において、光触媒に加えて、さらに重炭酸アンモニウムを設けたことを特徴とする装飾品。
【発明の詳細な説明】
【技術分野】
【０００１】
本発明は、装飾品の技術分野に属する。さらに詳しくは、主に室内、自動車内等に載置したり、吊り下げたりして使用するための装飾品に関する。
【背景技術】
【０００２】
従来、部屋の中や、トイレ、台所等の室内、自動車内、もしくは冷蔵庫、下駄箱内に設置する各種形態の装飾品（飾り物、置物）について、酸化チタン等の光触媒を利用し、それによって臭気成分を分解除去したり、抗菌作用を持たせたことを特徴とする機能性の装飾品がいくつか知られている。
【０００３】
例えば、（特許文献１）には、土器を形成する粘土にその土器より臭気吸着性能に優れる吸着材をその吸着材の表面が露出するように埋設し、その埋設部分から亀裂が入らない程度の温度で焼成した後、水溶性酸化チタンを表面に塗布し、さらに焼成することによって製造される消臭器が記載されている。この消臭器は、例えば梟形状に形成されている。また、（特許文献２）には、第１のポリテトラフルオロエチレン樹脂多孔質層の層上に、酸化チタン粒子およびガス吸着剤を含有する第２のポリテトラフルオロエチレン樹脂多孔質層が積層形成された消臭抗菌性シートが記載されており、さらに、その消臭抗菌性シートから形成した葉部と、これを支持する支持部とからなる観葉植物を模した置物が開示されている。
【０００４】
上記従来の装飾品は、梟や観葉植物等の立体的な形態のまま変わらないので、流通過程で嵩張って扱いにくく、また、装飾品としての面白みに欠けるという問題があった。
また、光触媒を用いた場合には、脱臭・抗菌効果は光が照射される面積に比例するが、上記の例では反応部位が梟等の形状の外表面に限られるため、面積が小さく、光触媒作用による、より十分な脱臭・抗菌効果が制限されるものである。
【０００５】
【特許文献１】特開２００３−１４４５３２号公報（請求項６、図１）
【特許文献２】特許第３２６６８８８号公報（請求項１、請求項７、図２）
【発明の開示】
【発明が解決しようとする課題】
【０００６】
そこで本発明は、上記従来の状況に鑑み、光触媒を利用した装飾品であって、使用しないときはコンパクトにまとまり、かつ立体的に形状を変化させることができ、飾りとしての面白みがある、新規な装飾品を提供することを目的とする。
また、光の照射される面積が大きく、そのため高い脱臭・抗菌効果を得ることができる装飾品を提供することを目的とする。
【課題を解決するための手段】
【０００７】
上記課題を解決するため、本発明は、請求項１として、光触媒を設けた紙が複数枚積層され、前記積層された紙を展開したときにそれぞれの紙の表面（ひょうめん）が露出するように外形状が立体的に変化する装飾品を提供する。
【０００８】
上記構成によれば、紙によって構成され、脱臭・抗菌作用を有する装飾品が得られる。それぞれの紙の表面で光を受けるため、反応部位の面積が大きくなる。
なお、光触媒を「設けた」とは、紙の表面に光触媒が付着し、あるいは紙の繊維間に浸透する等して担持された状態をいう。
【０００９】
また、請求項２は、請求項１記載の装飾品において、積層された紙の一辺を軸とし、前記軸の周りに紙を展開することで外形状が回転対称の立体へ変化することを特徴とする。
【００１０】
上記構成によれば、吊り下げ用として好適な装飾品が得られる。
【００１１】
また、請求項３として、クリスマスカード、誕生日カード等のグリーティングカードの見開き部に、光触媒を設けた紙が複数枚積層され、前記グリーティングカードを開いて前記積層された紙を展開したときにそれぞれの紙の表面が露出するように外形状が立体的に変化する装飾品を提供する。
【００１２】
上記構成によれば、グリーティングカードを開くことで、光触媒を設けた紙が立体的に飛び出し、脱臭・抗菌作用を発揮する。
【００１３】
また、請求項４は、請求項１〜３のいずれか記載の装飾品において、光触媒を設ける紙が、斤量２０〜３０ｇ／ｍ２の薄葉紙であることを特徴とする。
【００１４】
上記構成によれば、光触媒に対する耐久性や、畳み易さを考慮して、紙の種類が特定される。
【００１５】
また、請求項５は、請求項１〜４のいずれか記載の装飾品において、光触媒が、粉末状の酸化チタンであることを特徴とする。
【００１６】
上記構成によれば、光触媒として、パルプを分解せず、脱臭・抗菌作用の優れた酸化チタンが選択される。
【００１７】
さらに、請求項６は、請求項１〜５のいずれか記載の装飾品において、光触媒に加えて、さらに重炭酸アンモニウムを設けたことを特徴とする。
【００１８】
上記構成によれば、重炭酸アンモニウムがホルムアルデヒド等の物質を吸収し、光触媒が分解することで相乗的な効果が得られる。
【発明の効果】
【００１９】
本発明によれば、脱臭・抗菌機能を有し、コンパクトに畳まれた状態から展開して立体的に形状変化させることができる装飾品を得ることができる。この装飾品は、例えば室内、自動車内に吊り下げたり、グリーティングカードとして好適に応用することができる。
そして、積層された複数枚の紙は、展開させたときにそれぞれの表面が露出するので、光が照射される面積が大きくなり、従来に比して高い脱臭・抗菌効果を発揮することができる。
【発明を実施するための最良の形態】
【００２０】
以下、本発明を詳細に説明する。
まず、本発明の実施の形態（１）に係る装飾品について図１〜３に基づき説明する。図１の装飾品１Ａは、光触媒を設けた複数枚の紙１０Ａ〜１０Ｄ（それ以外にも多数枚ある）を立体的に展開させることにより概略構成されている。この装飾品１Ａは、果物のイチゴを模したものであり、紐１１により吊り下げることができる。
【００２１】
装飾品１Ａは、図２に示すように、使用する前の状態では複数枚の紙１０（１０Ａ〜１０Ｄを含む）が積層された状態で内部に畳まれている。畳まれた装飾品１Ａ全体の表面と裏面は、例えば、光触媒を設けた紙１０よりも厚く強度がある板紙１２等で挟まれており、全体の形状が保持されている。なお、板紙１２の一部には、手で撮むことによって装飾品１Ａを開き易くするための把持部１２１が形成されている。
複数枚の紙１０Ａ〜１０Ｄは、図３に模式的に示すように、偶数枚目（１０Ｂ、１０Ｄ）と奇数枚目（１０Ａ、１０Ｃ）とが所定の間隔で、接点１３において線状に糊付けされ、セル状の空間を作り出している。このとき、光触媒は、紙の表面１０ａや裏面１０ｂに付着した状態、あるいは紙の内部１０ｃに担持された状態となっている。
図２の畳まれた状態から、把持部１２１を撮みつつ、紙１０の一辺を軸１０１にして、その軸１０１の周囲に紙１０を３６０度展開させることにより、図１に示すような回転対称の立体形状に変化させることができる。
【００２２】
図１に示すように、装飾品１Ａを立体的に形状変化させると、それぞれの紙１０Ａ〜１０Ｄの表面が露出し、外面がハニカムの状態となる。したがって、光が照射される表面積が大きくなり、全体の脱臭・抗菌効果を高めることができる。具体的な効果の程度は、紙１０の枚数等によって異なり一概には決まらないが、外面がハニカム状態でなく単純な平面である場合に比較すると、図３から明らかなように（一枚の面積×２〔表と裏〕×枚数）で計算される表面積が露出することになり、数十〜数千倍の脱臭・抗菌効果を得ることができる。
【００２３】
上記の装飾品１Ａは、安価な消臭グッズとして利用することができ、例えば、乗用車、タクシー、バス等の車内や、室内、トイレ、台所等に吊り下げて、タバコやペット等による臭いや、シックハウス症候群等を引き起こす化学物質を効果的に除去することができる。また、病院内で使用すれば、不快な臭いを除去でき、感染予防の対策としても利用することができる。
【００２４】
続いて、装飾品１Ａを構成する各要素について詳述する。
まず、光触媒を設ける紙としては、光触媒を担持でき、かつ繊維が光触媒によって容易に損なわれないものであれば適宜採用することができる。具体的には、薄葉紙、家庭用薄葉紙、包装用紙や、ケント紙、画用紙等の非塗工印刷用紙、障子紙等の雑葉紙等を挙げることができる。その中でも薄葉紙は、光触媒を担持し易く、また適度な強度を有し、折り曲げたり立体形状を保持し易いため好適に用いられる。
【００２５】
上記紙の斤量は、繊維の凝集密度に対応しており、それゆえ光触媒を設けたときの脱臭・抗菌作用に影響を及ぼす。一般には、斤量が小さ過ぎると光触媒を十分に担持させることができず、また立体形状を保持しにくくなるため好ましくない。逆に大き過ぎても、光触媒の付着量が低下し、また複数枚を積層させた後に展開しづらくなる傾向があるため、これらのバランスを考慮して適宜設定する。具体的には、薄葉紙の場合で２０〜３０ｇ／ｍ２程度とすることが好ましい。
また、紙１０の厚さは、紙の種類や斤量によっても異なるが、一般には０．１〜５ｍｍの範囲内が適当である。
【００２６】
光触媒は、光エネルギーが照射されることにより、表面に接する有機物等を酸化分解する性質を有している。光触媒の種類としては、酸化チタン、酸化亜鉛、酸化タングステン、三酸化ビスマス、チタン酸ストロンチウム、三酸化鉄、酸化セリウム、及びこれらの複合物等を挙げることができる。その中でも、酸化チタンは、光触媒活性が高く、また安定性、安全性に優れるため特に好ましく用いられる。酸化チタンには、アナターゼ型、及びルチル型があるが、アナターゼ型酸化チタンがより好ましい。
【００２７】
上記の光触媒は粉末状にして用いる。粉末の粒径は、一般には、細かい方が光触媒機能が高く、また、紙に担持させ易いため好ましい。具体的には、１〜５０ｎｍ程度が適当であり、就中５〜３０ｎｍである。
【００２８】
光触媒を紙に設けるに際しては、適宜手段により行うことができる。例えば、所定量の粉末状の光触媒を水に分散させ、その分散液を紙の表面に塗布したり、あるいは分散液中に紙を浸漬させ、その後乾燥させることによって紙の繊維間に光触媒が浸透し、あるいは光触媒が紙に付着して担持された状態となる。
【００２９】
光触媒を紙に設ける量は、所望の脱臭・抗菌効果に応じて、また光触媒の粒径や紙の種類等を考慮して適宜設定することができる。具体的には、斤量２０〜３０ｇ／ｍ２の薄葉紙に対して粉末状の光触媒を設ける場合、光触媒を水で１０〜７０倍に希釈させたものを塗布すれば、適度な脱臭・抗菌効果を得ることができる。１０倍より高濃度にしても得られる効果はあまり変わらず、また７０倍より薄くすると十分な効果が得られない場合がある。しかし、上記範囲に限定されるものではない。
【００３０】
なお、光触媒は、必要に応じて、予め褪色性の染料等により着色しておくことができる。褪色の進み具合から、光触媒の状態を推定することができ、装飾品１Ａの有効期限を知るための目安として利用することができる。
【００３１】
また、紙に光触媒を設ける際、又はそれとは別の工程として、各種染料により紙を所望の色に染めることができる。無論、装飾品１Ａ全体を一色に染めても良いし、いくつかの領域に染め分けることもできる。図１は、３つの領域に染め分けている例であり、装飾品１Ａは全体がイチゴを模したものなので、領域ａを葉の緑色とし、領域ｂ、ｃを実の色である赤や黄色にすることができる。
染料の種類としては、光触媒によって容易に侵されないことを条件として適宜物質を用いることができる。
【００３２】
また、上記の光触媒や各種染料以外にも、必要に応じて、他の添加剤を紙に設けることができる。具体例として、活性炭等の吸着剤や、重炭酸アンモニウム等が挙げられる。これらは、例えば室内のホルムアルデヒド等を効果的に吸着・吸収することができ、光触媒の酸化力とあいまって、有害物質、臭気物質をより強力に除去することができる。
【００３３】
続いて、本発明の実施の形態（２）を図３及び図４に示す。図３の装飾品１Ｂは、全体として２つ折りのカードに構成されている。具体的には、クリスマスカード、誕生日カード等のグリーティングカード３０（図３は誕生日カードの例）の見開き部３０１に、光触媒を設けた複数枚の紙１０Ａ〜１０Ｄが立体的に備えられている。
【００３４】
このグリーティングカード３０は、図４に示すように普段は閉じておく。このとき、複数枚の紙１０Ａ〜１０Ｄは見開き部３０１の内側に積層された状態で畳まれている。そして、カードを開くのに伴い、図３に示すように畳まれた紙１０Ａ〜１０Ｄが展開されて立体的に飛び出し、紙１０Ａ〜１０Ｄのそれぞれの表面がハニカム状に露出することになる。したがって、グリーティングカード３０を開いた状態で室内に置いておけば、光触媒に起因して高い脱臭・抗菌効果を得ることができる。なお、光触媒の種類等、その他の構成については、上記実施の形態（１）に準じる。
【００３５】
上記実施の形態（１）及び（２）では、素地となる紙に対し、後から光触媒や各種染料等を塗布する等して設ける場合について述べたが、別の場合として、抄紙する段階でパルプ原料に光触媒や染料等を混ぜ込むことにより、最初から光触媒が付着・浸透し、かつ適宜着色された紙を製造することもできる。パルプ原料としては、光触媒によって容易に繊維が損なわれないことを条件として適宜選択することができる。具体的には、機械パルプ、化学パルプ、古紙パルプ等、あるいは麻パルプ、わらパルプ等の非木材パルプを挙げることができる。
【００３６】
パルプ原料に光触媒等を混合したものを抄紙する方法としては、特に限定されるものでなく、公知の抄紙機を使用して行うことができる。抄紙機の例としては、長網抄紙機、ツインワイヤー抄紙機、円網抄紙機等を挙げることができる。あるいは、手抄きによっても良い。
【００３７】
以上の実施の形態（１）及び（２）では、装飾品の例として、イチゴを模した回転対称の立体に形成した場合と、グリーティングカードに応用した場合とについて説明したが、これらに限定されず、例えば、アコーディオンのように伸縮自在なものとして外形状が立体的に変化する形態や、折り紙のように立体的に折った形態等、種々の形態を採用することができる。
【００３８】
また、本発明の装飾品は、紙を主体として構成されているので、古紙を再利用して作製したり、使用後の装飾品を紙資源として有効利用することができる。したがって、環境保護に資するものである。さらに、焼却して廃棄処分する際にも有害物質を出すことがない。
【図面の簡単な説明】
【００３９】
【図１】実施の形態（１）に係る装飾品の展開した状態を示す斜視図である。
【図２】実施の形態（１）に係る装飾品の畳んだ状態を示す斜視図である。
【図３】実施の形態（１）の装飾品における紙の積層した状態を説明する断面図である。
【図４】実施の形態（２）に係る装飾品の展開した状態を示す斜視図である。
【図５】実施の形態（２）に係る装飾品の畳んだ状態を示す斜視図である。
【符号の説明】
【００４０】
１Ａ、１Ｂ  装飾品
１０、１０Ａ〜１０Ｄ  紙
１０ａ  紙の表面
１０ｂ  紙の裏面
１０ｃ  紙の内部
１０１  軸
１１    紐
１２    板紙
１３    接点
１２１  把持部
３０    グリーティングカード
３０１  見開き部
ａ〜ｃ  領域
【図１】
2005204812.tif 000003
【図２】
2005204812.tif 000004
【図３】
2005204812.tif 000005
【図４】
2005204812.tif 000006
【図５】
2005204812.tif 000007